(57)【要約】【課題】外管内放電状態のランプが負荷となっても確実に電力供給を遮断でき、また、点灯装置の二次側配線間でランプ以外の部位において放電が継続した場合にも確実に電力供給を遮断できる放電灯点灯装置を提供する。【解決手段】点灯装置の二次側出力端からランプを含む管灯回路間での放電状態であって、その放電の不規則な電気特性変化を検出する手段を備え、その検出手段の出力に応じて点灯装置の出力を遮断する。特に、高圧放電灯の外管内でかつ密閉された発光管内で起こる放電状態であって、立ち消えと再始動を繰り返す状態、あるいは正常点灯時と異なるランプ電圧又はランプ電流でアーク放電を継続し、ランプが立ち消えしないような放電状態を検出して点灯装置の出力を遮断する。【選択図】図１
2005158365.tif 000002
【特許請求の範囲】
【請求項１】
点灯装置の二次側出力端からランプを含む管灯回路間での放電状態であって、その放電の不規則な電気特性変化を検出する手段を備え、その検出手段の出力に応じて点灯装置の出力を停止又は低減させることを特徴とする放電灯点灯装置。
【請求項２】
高圧放電灯の外管内でかつ密閉された発光管内で起こる放電状態であって、その放電時における高圧放電灯の不規則な電気特性変化を検出する手段を備え、その検出手段の出力に応じて高圧放電灯への出力を停止又は低減させることを特徴とする放電灯点灯装置。
【請求項３】
請求項２の放電状態は、立ち消えと再始動を繰り返す状態であることを特徴とする放電灯点灯装置。
【請求項４】
請求項２の放電状態は、ランプ電圧又はランプ電流が正常点灯時の波形もしくは値とは異なる状態でアーク放電を安定して継続し、ランプが立ち消えしないような放電状態であることを特徴とする放電灯点灯装置。
【請求項５】
請求項３において、ランプ電圧又はランプ電流の値を検出して高圧放電灯の立ち消えを検出する手段と、その立ち消え回数を計数する手段を備え、立ち消え回数が規定回数を超えた時に点灯動作を停止又は出力を低減することを特徴とする放電灯点灯装置。
【請求項６】
請求項４において、ランプ電圧又はランプ電流の値を検出する手段と、その検出値が設定された閾値に対して上下する回数をカウントする手段を備え、その回数が規定回数を超えた時に点灯動作を停止又は出力を低減することを特徴とする放電灯点灯装置。
【請求項７】
請求項５又は６において、点灯装置は交流出力をランプに供給するものであり、ランプ電圧又はランプ電流の値を正負両極性で検出することを特徴とする放電灯点灯装置。
【請求項８】
請求項３又は４において、高圧放電灯の半波放電を検出する手段と、検出された半波放電の継続時間又は回数を積算してカウントする手段を備え、半波放電の継続時間又は回数が設定値以上になったときに点灯動作を停止又は出力を低減することを特徴とする放電灯点灯装置。
【請求項９】
請求項３又は４において、ランプ電圧又はランプ電流の値を検出する手段と、検出値が設定された閾値以下での継続時間又は回数を積算してカウントする手段を備え、カウントされた継続時間又は回数が設定値以上になったときに点灯動作を停止又は出力を低減することを特徴とする放電灯点灯装置。
【請求項１０】
請求項３又は４において、ランプ電圧又はランプ電流の値を検出する手段と、検出値が設定された閾値以上での継続時間又は回数を積算してカウントする手段を備え、カウントされた継続時間又は回数が設定値以上になったときに点灯動作を停止又は出力を低減することを特徴とする放電灯点灯装置。
【請求項１１】
請求項１〜１０のいずれかに記載の点灯装置を組み込んだ照明器具。
【発明の詳細な説明】
【技術分野】
【０００１】
本発明はＨＩＤランプを点灯させる放電灯点灯装置及びこれを用いた照明器具に関するものである。
【背景技術】
【０００２】
近年、ＨＩＤランプの点灯装置は小型化・軽量化・高機能化が求められており、従来の銅鉄式から電子式に移行しつつある。通常、ＨＩＤランプの電子式点灯装置は、音響的共鳴現象を回避するために矩形波点灯方式を採用している。矩形波点灯方式とは、ランプ電流の限流については、高周波領域で行うことで限流要素の小型化を図り、その一方で高周波電流を音響的共鳴現象の生じない低周波にて極性反転させ、その高周波成分をフィルタ回路にて除去した低周波成分のみの矩形波電流をランプに供給することにより、音響的共鳴現象を回避しつつ安定なランプ点灯を可能とするものである。
【０００３】
図６に電子点灯装置のブロック図を示す。交流電源Ｖｓに整流回路を含む直流電源回路１が接続されており、この直流電源回路１の出力端に低周波矩形波を発生させるインバータ回路２が接続されており、このインバータ回路２の出力端にランプＬａが接続されている。
【０００４】
図６のブロック図をより具体的に示した回路図を図７に示す。直流電源回路１は、整流回路ＤＢと、インダクタンスＬ０、ダイオードＤ０、スイッチング素子Ｑ０、制御回路３からなる昇圧チョッパ回路と、コンデンサＣ０とからなり、交流電源Ｖｓの交流電圧を直流電圧に整流・平滑する機能を有する。昇圧チョッパ回路については、一般的な技術であるため説明を省略する。
【０００５】
インバータ回路２は、スイッチング素子Ｑ１〜Ｑ４とインダクタンスＬ１、コンデンサＣ１、ドライバＩＣ（例えば、ＩＲ社製ＩＲ２３０８）４と５、制御回路６で構成される。制御回路６はランプ電圧を抵抗Ｒ１〜Ｒ４によって検出し、予め設定されたランプ電圧とランプ電力の相関テーブル（以後Ｖ−Ｗテーブルと呼ぶ）に基づいて、検出したランプ電圧に応じてスイッチング素子Ｑ１〜Ｑ４のＯＮ／ＯＦＦ制御を行い、ランプに適当な電力を供給する。
【０００６】
図８に各スイッチング素子Ｑ１〜Ｑ４のランプ点灯時のタイムチャートを示す。スイッチング素子Ｑ１，Ｑ２は数１０〜数１００Ｈｚの低周波で動作し、スイッチング素子Ｑ３，Ｑ４は数１０ＫＨｚの高周波で動作することによって、インダクタンスＬ１には図９のような電流ＩL1が流れる。また、図９に示すように、ランプＬａにはコンデンサＣ１によってＩL1の高周波成分を除去したＩｌａのような略矩形波電流が流れる。
このようにインバータ回路はランプ電流の限流機能と、ランプに高周波成分を除去した矩形波電流を供給する機能を同時に有する。
【０００７】
ここで、制御回路６はマイコンを使用してもよい。その場合、ランプ電圧は抵抗Ｒ１〜Ｒ４により分圧された電圧をマイコンによりＡ／Ｄ変換した値をランプ電圧として認識する。すなわち、ランプ電圧を検出するには、抵抗Ｒ２の両端電圧ＶR2と抵抗Ｒ４の両端電圧ＶR4との差の絶対値を求めることでランプ電圧値として認識することができる。
【０００８】
また、通常、電子式点灯装置においては、ランプ始動用の高圧パルス電圧を発生するイグナイタ回路を搭載しており、本点灯装置においては、スイッチング素子Ｑ１，Ｑ２とインダクタＬ２、コンデンサＣ２でイグナイタ回路を構成する。以下、ランプ始動時や点灯装置の出力端にランプが接続されていない状態（以後、これらの状態を併せて無負荷状態と呼ぶ）のイグナイタ回路動作について説明する。
【０００９】
直列に接続されたインダクタンスＬ２とコンデンサＣ２は、ある周波数ｆ１で電圧を印加することで共振する。ここでｆ１はスイッチング素子Ｑ１，Ｑ２の動作機能とインダクタＬ２、コンデンサＣ２の大きさ等を考慮して数１０ＫＨｚ〜数１００ＫＨｚに設定される。
【００１０】
スイッチング素子Ｑ１，Ｑ２を、図１０のパルス発生区間のように交互にＯＮ／ＯＦＦし、スイッチング素子Ｑ１がＯＮのときは、直流電源回路の出力電圧をスイッチング素子Ｑ１とインダクタンスＬ２とコンデンサＣ２よりなる閉回路に印加する。スイッチング素子Ｑ２がＯＮのときは、コンデンサＣ２に蓄えられた電荷を、コンデンサＣ２自身とインダクタンスＬ２とスイッチング素子Ｑ２よりなる閉回路に放出する。以上の動作を、ドライバＩＣ４の信号を受けて繰り返すことで、インダクタンスＬ２とコンデンサＣ２の接続点に高圧共振パルス電圧を発生させる。この共振パルス電圧をランプＬａの片端に印加し、ランプ内部の電極間に絶縁破壊を引き起こしランプを始動させる。
【００１１】
尚、イグナイタ動作には直接関係しないが、ランプ始動後の電流回路を形成するために、スイッチング素子Ｑ３，Ｑ４に関してもパルス発生区間において図１０のように動作させる。
【００１２】
また、上記イグナイタ動作は、ランプの始動性とランプ電極への負担を考え、パルス発生区間を数１０ｍｓ継続した後、数１００ｍｓ動作停止する間欠区間を設けている。さらにランプの点灯判別をするために、数１０ｍｓのパルス発生区間後に半周期間だけ図８に示した矩形波動作をＶｌａ判別区間として設けている。
以上のイグナイタ回路動作についてもインバータ回路動作と同様、制御回路６を用いて動作制御する。
【００１３】
次に、制御回路６における上記のランプ点灯時のインバータ回路動作と無負荷時のイグナイタ動作について、図１１のフローチャートを用いて順次説明する。
【００１４】
無負荷動作のフロー、ランプ始動後の矩形波出力動作でのフローを（１）始動、（２）無負荷時、（３）第１半波サイクル時、（４）第２半波サイクル時に大別する。
【００１５】
まず、ステップ１−１で点灯装置を始動した後、ステップ２−１で無負荷時に回路をイグナイタ動作させる信号をドライバＩＣ４，５に出力する。ステップ２−２でランプ電圧Ｖｌａ１を読み込むため、矩形波出力させるような信号をドライバＩＣに出力し、ランプ電圧Ｖｌａ１を読み込み、ステップ２−３で無負荷判別する。無負荷判別は、予め設定された電圧閾値Ｖｍａｘとランプ電圧Ｖｌａ１との比較により行い、Ｖｌａ１＞Ｖｍａｘの場合に無負荷であると判別する。このとき、無負荷であると判別されればステップ２−１に移行し、ランプ始動と判別されればステップ２−４に移行する。ステップ２−４において、ランプ始動直後専用のＶ−Ｗテーブルを読み込み、第１半波サイクル、第２半波サイクルの限流動作の目標値Ｗ１，Ｗ２を設定する。
【００１６】
ステップ３−１では、設定された限流動作目標値Ｗ１に応じた信号をドライバＩＣ５に出力しつつ、ステップ３−２でランプ電圧をＶｌａ１として読み込む。ステップ３−３でステップ２−３と同様の無負荷判別をし、もし、立ち消え等が起こり無負荷と判別されれば、ステップ２−１へ移行する。点灯を継続していればステップ３−４へ移行する。ステップ３−４において、Ｖｌａ１に応じて次回の第１半波サイクルの限流動作目標値Ｗ１をＶ−Ｗテーブルより読み込み設定する。ステップ３−５において、第１半波サイクル動作を完了し、極性反転の信号をドライバＩＣ４，５に出力する。
【００１７】
ステップ４−１において、設定された限流動作目標値Ｗ２に応じた信号をドライバＩＣ５に出力しつつ、ステップ４−２でランプ電圧をＶｌａ２として読み込む。ステップ４−３でＶｌａ２＞Ｖｍａｘの時に無負荷であると認識するような無負荷判別を行い、もし立ち消え等が起こり無負荷と判別されればステップ２−１へ移行する。点灯を継続していればステップ４−４へ移行する。ステップ４−４において、Ｖｌａ２に応じて次回の第２半波サイクルの限流動作目標値Ｗ２をＶ−Ｗテーブルより読み込み設定する。ステップ４−５において、第２半波サイクル動作を完了し、極性反転の信号をドライバＩＣ４，５に出力し、ステップ３−１に移行する。以後、上記動作を繰り返す。
【００１８】
一般的に高圧放電灯は点灯初期から点灯時間が経過していくに従ってランプ電圧が上昇していく傾向にある。通常、銅鉄式点灯装置であれば、このようにランプ電圧が上昇していくと、ランプの再点弧電圧が上昇していくため点灯維持できなくなり、立ち消えを起こしていた。
【００１９】
一方、電子式点灯装置ではランプ寿命末期においても再点弧電圧が銅鉄式点灯装置に比べて出なくなるため、立ち消えを起こしにくい。その点で、ランプ寿命を延ばすことにもなっていた。しかし、立ち消えを起こさないため、銅鉄式点灯装置に比べて、ランプにかかる負担が大きくなり、ランプ内部の発光管が劣化し、発光管の封着部の気密性が低下し、発光管内の始動用希ガスが真空の外管内に流出するいわゆるリークという現象が起こることがある。このようなリーク状態の高圧放電ランプに始動用のパルス電圧を印加した場合、ランプの電極と他の電位の導体との間にアーク放電が発生し（以下、外管内放電と呼ぶ）、その外管内放電が継続するとランプ口金が過熱され、口金が樹脂で形成されていた場合など、溶融するということもあり得た。この外管内放電は銅鉄式点灯装置においても同様に起こることがある。
【００２０】
このような外管内放電への対策としては、外管内に窒素ガスを封入し真空ではなくすことや、電流ヒューズをランプ口金内に配置し、過電流により電流ヒューズを溶断させ供給電力を遮断する方法が知られている（特許第３１２６３００号）。しかし、外管内に窒素ガスを封入した場合、その真空状態時と比べ、ランプ効率の低下等の弊害があり、電流ヒューズを用いた場合には、過電流の電流値によって、溶断までに長時間を要したり、溶断まで至らない場合もあるため、外管内放電時に確実に電力供給を遮断することはできなかった。
【００２１】
また、従来の高圧放電灯点灯装置で、イグナイタ回路を有するものにおいては、点灯装置の二次側配線の傷や灯具と二次側線の不完全な接続（例えば接続忘れなど）が万一起きてしまうと、イグナイタで発生する高圧パルス電圧が約３〜５ＫＶであるため、二次側配線にＶＶＦ線等のケーブルを用いた場合、ケーブルの導体を被膜している絶縁体の厚みが１．０ｍｍ程度であると、隣り合う導体間で絶縁破壊が生じて放電する場合があり、このような状態になるとランプが始動したときと似たような状態になり、点灯装置からランプに供給される電力と同程度の電力が導体間に供給されてしまうため、導体間で放電が継続する恐れがあった。
【００２２】
そこで、このような不都合を回避するため、上記のように、ランプへの給電路に不具合が生じた時においても導体間で絶縁破壊を起こさせないように（絶縁破壊しても放電を継続することができないような不完全な絶縁破壊になるように）高圧パルス電圧の発生に間欠区間を設けて、高圧パルスのエネルギーを低減させるような対策をとっていた（特願２００３−１６２６０６号）。
【００２３】
しかし、上記対策手段では、万一、導体間で完全に絶縁破壊を起こし、点灯装置から電力が供給されてしまった場合、点灯装置は積極的に電力供給を停止する手段をもたないため電力供給が継続される可能性があり、また、高圧パルスのエネルギーを低減しているため、正常ランプが点灯装置の二次側に接続されていても始動性の悪いランプであれば、絶縁破壊を起こしにくくなるという可能性があった。
【特許文献１】特許第３１２６３００号公報
【発明の開示】
【発明が解決しようとする課題】
【００２４】
本発明は、以上のような問題点を解決すべく考案されたものであり、その目的とするところは、外管内放電状態のランプが負荷となっても確実に電力供給を遮断でき、また、点灯装置の二次側配線間でランプ以外の部位において放電が継続した場合にも確実に電力供給を遮断できる放電灯点灯装置を提供することにある。
【課題を解決するための手段】
【００２５】
本発明の高圧放電灯点灯装置にあっては、上記の課題を解決するために、放電灯点灯装置の二次側出力端からランプを含む管灯回路間での放電状態であって、その放電の不規則な電気特性変化を検出する手段を備え、その検出手段の出力に応じて点灯装置の出力を停止又は低減させることを特徴とするものである。
【発明の効果】
【００２６】
本発明によれば、点灯装置の二次側配線間でランプ以外の部位において放電が継続した場合に確実に電力供給を停止又は低減することができる。また、外管内放電状態のランプが負荷となっても確実に電力供給を停止又は低減することができる。
【発明を実施するための最良の形態】
【００２７】
本発明の好ましい実施の形態によれば、図７の基本回路構成および図１１の基本動作において、制御回路６の第１半波サイクル又は／及び第２半波サイクルの処理ステップのなかに、外管内放電状態のランプ電圧又はランプ電流の特徴を検出できるような処理のフローを新たに追加することで、外管内放電状態を検出し、回路動作を停止又は出力を低減させるように構成する。
【００２８】
ここで、外管内放電状態を検出するには、例えば、ランプ電圧又はランプ電流の値を検出して高圧放電灯の立ち消えを検出する手段と、その立ち消え回数を計数する手段を備え、立ち消え回数が規定回数を超えた時に点灯動作を停止又は出力を低減させる。あるいは、ランプ電圧又はランプ電流の値を検出する手段と、その検出値が設定された閾値に対して上下する回数をカウントする手段を備え、その回数が規定回数を超えた時に点灯動作を停止又は出力を低減させる。もしくは、ランプ電圧又はランプ電流の値を検出する手段と、検出値が設定された閾値以下（又は閾値以上）での継続時間又は回数を積算してカウントする手段を備え、カウントされた継続時間又は回数が設定値以上になったときに点灯動作を停止又は出力を低減させる。
【００２９】
以下、本発明の原理について説明する。ＨＩＤランプが何らかの理由で発光管が破損し、外管内放電状態になると図１２〜図１４に示すようなランプ電圧、電流波形が観測される。なお、図中のランプ電圧Ｖｌａ、ランプ電流Ｉｌａの波形は試験バラストの出力端で測定したものである。試験ランプはフィリップス社製ＣＤＭ−Ｔ１５０Ｗの外管内放電状態ランプ、試験バラストとして矩形波点灯方式電子安定器（松下電工製ＭＨＣ１５０１／２４ＣＫ−２Ｅ）を使用した。
【００３０】
図１２の状態は、ランプ電圧波形の極性反転直後に急峻な電圧波形（再点弧電圧）が観測され、ランプ電流に関しては極性反転直後からランプ電圧の再点弧電圧が無くなった瞬間に急峻な電流波形（オーバーシュート電流）が観測された。この状態においては、ランプ内のアーク放電は安定しにくく、立ち消えと再始動を繰り返した。
図１３の状態は、ランプ内で半波放電が発生しており、図１２の状態に比べればアーク放電は継続しやすい傾向があった。
また、図１２、図１３の状態においては、上記に挙げた特徴以外に、ランプ電圧は一定に保たれず流動的であった。
【００３１】
図１４の状態は、ランプ内の異極間の距離が最も近いランプの根元で外管内放電が起こった時に観測され、アーク放電は最も安定して継続した。また、ランプ電圧は定格のランプ電圧に比べて遥かに高電圧であった。つまり、この状態は、ランプ電圧又はランプ電流が正常点灯時の波形もしくは値と異なる状態でアーク放電を安定して継続し、ランプが立ち消えしないような放電状態である。
【００３２】
以下に挙げる実施例は、上記外管内放電特有の現象に着目し、検出することで点灯装置を制御し、ランプへの電力供給を遮断するものである。
【実施例１】
【００３３】
図１に本発明の実施例１の動作を示す。外管内放電状態のうち、図１２に代表される状態においては、アーク放電が安定しにくく、立ち消え、再始動を繰り返すという特徴がある。本実施例は前記状態のランプにおいて、その電気特性変化を積極的に検出するものである。具体的には、ランプが始動した後に立ち消えした場合のみ、その立ち消え回数をカウントし、ある回数に達した時に点灯装置の動作を停止させる機能を制御回路６に設ける。
【００３４】
すなわち、ランプ始動後のフローである図１１のステップ３−３もしくはステップ４−３において、無負荷であると判定された時にその回数をカウントする。そして、その回数がある閾値Ａに達したときに回路動作を停止する、つまりドライバＩＣへの信号を停止する。
【００３５】
具体的には、図１に示すように、ステップ３−３で無負荷と判定されると、ステップ３−３−ａで立ち消え回数をカウントアップする。そして、ステップ３−３−ｂで立ち消え回数が閾値Ａ未満であれば、図１１と同様にステップ２−１に移行する。ステップ３−３−ｂで立ち消え回数が閾値Ａに達すると、停止ステップＥＸＩＴで回路動作を停止する。
【００３６】
また、ステップ４−３で無負荷と判定されると、ステップ４−３−ａで立ち消え回数をカウントアップする。そして、ステップ４−３−ｂで立ち消え回数が閾値Ａ未満であれば、図１１と同様にステップ２−１に移行する。ステップ４−３−ｂで立ち消え回数が閾値Ａに達すると、停止ステップＥＸＩＴで回路動作を停止する。
【実施例２】
【００３７】
図２に本発明の実施例２の動作を示す。外管内放電状態のうち、図１２、図１３に代表される状態において、アーク放電が不安定ながらも放電を継続する場合がある。そのような場合においては、ランプ電圧の値が上下に変動するという特徴があった。本実施例は前記状態のランプにおいて、その電気特性変化を積極的に検出するものである。
【００３８】
ランプ始動後、制御回路６において、第１半波サイクル、第２半波サイクルのそれぞれでランプ電圧を読み込んでいる。第１半波サイクルで読み込んだランプ電圧Ｖｌａ１がある閾値Ｖｒｅｆ１より高く、かつそれ以後に読み込んだランプ電圧Ｖｌａ１がその閾値Ｖｒｅｆ１より低くなった時の回数をカウントする。つまり、ある閾値Ｖｒｅｆ１に対し、毎周期読み込まれるＶｌａ１が上下に変化した回数をカウントし、その回数がある回数Ｂに達した時に回路動作を停止するようなフローをステップ３−２からステップ３−５までの間に設ける。同様のフローを第２半波サイクルにも設けることで、より確実にランプ電圧の変動を検出することができる。
【００３９】
具体的には、図２に示すように、ステップ３−２で読み込んだランプ電圧Ｖｌａ１に対し、設定した閾値Ｖｒｅｆ１との大小を比較する。Ｖｌａ１＞Ｖｒｅｆ１の場合に、ｆｌａｇ１＝１を立てる。次回、第１半波サイクルに検出されたＶｌａ１がＶｌａ１＜Ｖｒｅｆ１であり、かつ、ｆｌａｇ１＝１が既に成立していた場合にのみ、Ｖｌａ１変動回数のカウント値を増やし、Ｖｌａ１変動回数がある所定回数Ｂに達したときに回路動作を停止する。尚、Ｖｌａ変動回数の値を増やした時にはｆｌａｇ１＝０に戻しておく。
【００４０】
これにより、ランプ電圧の変動を検出することができ、図１２、図１３に代表されるように、アーク放電が不安定ながらも放電を継続する状態においては、ランプ電圧の値が上下に変動するという特徴をとらえて、外管内放電状態を検出することができる。
【００４１】
ところで、上記検出機能は点灯装置の二次側配線間でランプ以外の部位で放電が起こった場合、その放電を検出する用途にも利用できる。例えば、二次側配線にケーブルを用いた場合に、導体被膜に傷が付いてしまった時に点灯装置の発生する高圧パルス電圧により、ケーブルの導体間で放電が発生してしまう場合がある。このとき、二次側配線間の電圧は図１５に示すように、上下に変動する。なお、図１５は二次側配線として、２線ＶＶＦ線を使用し、本来、灯具に接続されるべき先端を特別な絶縁処理をせずに２線の距離が極めて近い状態で高圧パルス電圧を発生させ、絶縁破壊を起こし、点灯装置がランプ点灯と判断して電力を供給している状態のものである。
【００４２】
つまり、上記の外管内放電対策と同様に、この二次側配線間電圧の変動を検出することで、ランプ以外の二次側配線間で発生した放電を検出することができ、検出後の電力の供給を遮断することができる。
【実施例３】
【００４３】
図３に本発明の実施例３の動作を示す。外管内放電状態のうち、図１３に代表される状態において、点灯状態の出力が半波状態になりながらも放電を継続する場合がある。本実施例は、前記半波状態の時間をカウントし、ある設定時間以上となった時に回路動作を停止する。尚、設定時間との比較は、半波状態が継続した時間ではなく、積算時間とで比較することを特徴とする。
【００４４】
具体的には、図３に示すように、図１１のステップ４−２から４−５までの間に各半波サイクルで読み込まれたランプ電圧Ｖｌａ１とＶｌａ２との比較を行う処理部を挿入する。Ｖｌａ１とＶｌａ２の電圧差がある値以上であれば、半波放電であると認識し、半波回数のカウント値を増やす。半波回数がある設定値Ｃに達すれば回路動作を停止する。なお、半波回数の設定値は、回路動作停止に至るまでの半波状態の積算時間より算出する。つまり、半波検出は時間で行うが、制御回路６内部では回数で判別を行う。
【実施例４】
【００４５】
図４に本発明の実施例４の動作を示す。外管内放電状態のうち、図１２、図１３、図１４に代表される状態において、点灯装置の出力が低ランプ電圧もしくは高ランプ電圧で継続する場合がある。本実施例は、点灯装置出力が低ランプ電圧もしくは高ランプ電圧で継続された場合に回路動作を停止するものである。
【００４６】
第１半波サイクルにて検出されたランプ電圧Ｖｌａ１がある設定値Ｖｌｏｗ以下の状態が継続した時の検出機能と、Ｖｌａ１がある設定値Ｖｈｉｇｈ以上の状態が継続した時の検出機能を設ける。ここで、Ｖｌｏｗ＜Ｖｈｉｇｈである。この低ランプ電圧もしくは高ランプ電圧の検出においても、制御回路６内部では回数で判定を行う。
【００４７】
具体的には、図４に示すように、図１１のステップ３−２で読み込んだランプ電圧Ｖｌａ１に対して、ステップ３−２から３−５までの間に低Ｖｌａ１回数と高Ｖｌａ１回数をそれぞれカウントし、それぞれの回数がある設定値Ｄ，Ｅに達した場合に回路動作を停止する。回数の設定値は回路動作停止に至るまでの低ランプ電圧、高ランプ電圧の継続時間より算出する。同様のフローを第２半波サイクルにおいても設けることで、より確実に低ランプ電圧、高ランプ電圧状態を検出できる。
【実施例５】
【００４８】
実施例３，４の検出機能は、正常ランプであってもランプ始動直後の放電が不安定な状態においては外管内放電状態のランプであると誤認識する恐れがある。そこで、ランプ始動直後の一定時間においては、それぞれの検出を行わないようなマスク機能を追加する。上記実施例と同様に、ランプ始動直後の一定時間を、制御回路６内部ではある回数で判定する。具体例として、実施例３の半波状態に対するマスク機能を図５に示す。
【００４９】
Ｖｌａ１とＶｌａ２を比較するフローの直前にマスクカウンタを設けて、マスクカウンタがある設定値Ｆに達するまでは半波カウンタのフローを通過するように設定する。尚、マスクカウンタの設定値はマスクをかける時間より算出する。
【００５０】
なお、実施例１〜５においては、ランプの電気特性変化を検出するためにランプ電圧を読み込んでいるが、この検出は当然他のランプ電気特性、例えばランプ電流で行っても良い。
【００５１】
また、実施例１〜５の検出機能、マスク機能は組み合わせて搭載することで、より確実に外管内放電状態を検出することが可能となる。
【００５２】
実施例１〜５の点灯装置の回路は、ランプに電力を供給できるものであれば良く、銅鉄式であっても、電子式でも矩形波点灯方式だけでなく、高周波点灯方式であっても良い。
【産業上の利用可能性】
【００５３】
本発明はオフィスや店舗、一般家庭用の照明器具に利用できる。
【図面の簡単な説明】
【００５４】
【図１】本発明の実施例１の要部動作を示すフローチャートである。
【図２】本発明の実施例２の要部動作を示すフローチャートである。
【図３】本発明の実施例３の要部動作を示すフローチャートである。
【図４】本発明の実施例４の要部動作を示すフローチャートである。
【図５】本発明の実施例５の要部動作を示すフローチャートである。
【図６】従来の電子点灯装置の概略構成を示すブロック図である。
【図７】従来の電子点灯装置の具体的な構成を示す回路図である。
【図８】従来の電子点灯装置のインバータ回路のスイッチング動作を示す波形図である。
【図９】従来の電子点灯装置のインバータ回路の負荷電流の動作波形図である。
【図１０】従来の電子点灯装置の始動時から点灯時に至る動作説明図である。
【図１１】従来の電子点灯装置の全体動作を示すフローチャートである。
【図１２】外管内放電状態のランプ電圧とランプ電流の波形図である。
【図１３】外管内放電状態のランプ電圧とランプ電流の波形図である。
【図１４】外管内放電状態のランプ電圧とランプ電流の波形図である。
【図１５】二次側配線間の電圧の変動の様子を示す波形図である。
【符号の説明】
【００５５】
３−３−ａ  立ち消え回数計数部
３−３−ｂ  立ち消え回数判定部
【図１】
2005158365.tif 000003
【図２】
2005158365.tif 000004
【図３】
2005158365.tif 000005
【図４】
2005158365.tif 000006
【図５】
2005158365.tif 000007
【図６】
2005158365.tif 000008
【図７】
2005158365.tif 000009
【図８】
2005158365.tif 000010
【図９】
2005158365.tif 000011
【図１０】
2005158365.tif 000012
【図１１】
2005158365.tif 000013
【図１２】
2005158365.tif 000014
【図１３】
2005158365.tif 000015
【図１４】
2005158365.tif 000016
【図１５】
2005158365.tif 000017
【手続補正書】
【提出日】平成16年3月1日(2004.3.1)
【手続補正１】
【補正対象書類名】特許請求の範囲
【補正対象項目名】請求項２
【補正方法】変更
【補正の内容】
【請求項２】
高圧放電灯の外管内でかつ密閉された発光管内以外で起こる放電状態であって、その放電時における高圧放電灯の不規則な電気特性変化を検出する手段を備え、その検出手段の出力に応じて高圧放電灯への出力を停止又は低減させることを特徴とする放電灯点灯装置。